(57)【要約】【課題】構造を複雑化させることなく作業性に優れたパネルの取付構造を提供する。【解決手段】フレーム２にガスケット２５を介してパネル１５を取り付けるパネル１５の取付構造であって、フレーム２は、底板３０と対向する一対の側板３１とで凹部空間３２を形成しており、底板３０に、凹部空間３２の開放端に向けて突出した突起３３が立設しており、ガスケット２５は、突起３３と嵌合する溝３４が形成されており、突起３３にガスケット２５の溝３４を嵌合させた状態で、ガスケット２５と側板３１との間に形成される隙間３５に、パネル１５の一方の面の側において、パネル１５とガスケット２５とが当接し、パネル１５の他方の面の側において、パネル１５と側板３１の面同士が当接した状態で、フレーム２にパネル１５を取り付ける。【選択図】図１１
2019015080.tif 000002
【特許請求の範囲】
【請求項１】
フレームにガスケットを介してパネルを取り付けるパネルの取付構造であって、
前記フレームは、底板と対向する一対の側板とで凹部空間を形成しており、
前記底板に、前記凹部空間の開放端に向けて突出した突起が立設しており、
前記ガスケットは、前記突起と嵌合する溝が形成されており、
前記突起に前記ガスケットの前記溝を嵌合させた状態で、前記ガスケットと前記側板との間に形成される隙間に、前記パネルの一方の面の側において、前記パネルと前記ガスケットとが当接し、前記パネルの他方の面の側において、前記パネルと前記側板の面同士が当接した状態で、前記フレームに前記パネルを取り付けることを特徴とするパネルの取付構造。
【発明の詳細な説明】
【技術分野】
【０００１】
本発明は、例えば、配膳車、冷蔵庫及び冷蔵ショーケース等の扉や建物の窓に用いられるパネルの取付構造に関する。
【背景技術】
【０００２】
配膳車、冷蔵庫等は、筐体に開閉可能な扉を取り付けて、扉を開いて食品等の出し入れができるようにしている。扉は外周の４辺を枠体で構成し、この枠体にガラスパネルを取り付けて筐体内の可視化を図っている。特許文献１には、サッシの凹溝内に設けられた突条へ弾性部材を外嵌し、弾性部材に設けた平行する二条の凹部へ、二枚のガラスの周縁を嵌入して、サッシに二枚のガラスが支持される扉構造が記載されている。この扉構造によれば、二枚のガラスの周縁は、弾性部材によって気密状に挟持される。
【先行技術文献】
【特許文献】
【０００３】
【特許文献１】特公昭５４−２６０９７号公報
【発明の概要】
【発明が解決しようとする課題】
【０００４】
しかしながら、特許文献１の扉構造においては、扉の組立工程において、弾性部材の凹部へガラスの周縁を嵌入しただけでは、ガラスの固定が安定せず、ガラスの倒れや傾きを防止する必要があった。このため、弾性部材の凹部へ１枚目のガラスの周縁を嵌入した場合、１枚目のガラスの倒れ防止を図りつつ、２枚目のガラスの周縁を弾性部材の凹部へ嵌入する必要があり、作業負担が増す原因となっていた。
【０００５】
本発明は、前記のような従来の問題を解決するものであり、構造を複雑化させることなく作業性に優れたパネルの取付構造を提供することを目的とする。
【課題を解決するための手段】
【０００６】
前記目的を達成するために、本発明のパネルの取付構造は、フレームにガスケットを介してパネルを取り付けるパネルの取付構造であって、前記フレームは、底板と対向する一対の側板とで凹部空間を形成しており、前記底板に、前記凹部空間の開放端に向けて突出した突起が立設しており、前記ガスケットは、前記突起と嵌合する溝が形成されており、前記突起に前記ガスケットの前記溝を嵌合させた状態で、前記ガスケットと前記側板との間に形成される隙間に、前記パネルの一方の面の側において、前記パネルと前記ガスケットとが当接し、前記パネルの他方の面の側において、前記パネルと前記側板の面同士が当接した状態で、前記フレームに前記パネルを取り付けることを特徴とする。
【発明の効果】
【０００７】
本発明によれば、パネルと側板が面同士で接し、パネルのガスケット側はガスケットにより位置規制されるので、特別に構造を複雑化させることなく、パネルは傾斜の生じにくい安定した固定が可能になり、続くパネルの他端側へのフレームの取り付け作業が容易になり、扉等の組み立て作業が容易になる。
【図面の簡単な説明】
【０００８】
【図１】本発明の一実施形態に係るパネルの取付構造を備えた配膳車の外観斜視図。
【図２】図１に示した配膳車において、一部の扉を開いた状態を示す外観斜視図。
【図３】図１に示した扉の１枚分の外観斜視図。
【図４】図３に示した扉を裏面から見た状態を示す外観斜視図。
【図５】本発明の一実施形態に係る扉の分解状態を表側から見た斜視図。
【図６】本発明の一実施形態に係る扉の分解状態を裏側から見た斜視図。
【図７】図５のＡ部に相当する部分の拡大図。
【図８】図７の状態から組み立てが進んだ状態を示す外観斜視図。
【図９】図８の組立体の横断面図。
【図１０】引手に１枚分のパネルを取り付けた状態を示す外観斜視図。
【図１１】図１０の組立体の要部の横断面図。
【図１２】引手に２枚分のパネルの取り付けが完了した状態を示す外観斜視図。
【図１３】引手の上端部に上端ブロックを取り付けた状態の外観斜視図。
【図１４】図１３の組立体の要部の横断面図。
【図１５】引手に２枚分のパネルを取り付けた後における取り付け部品を示す分解斜視図。
【図１６】図１５に示した縦框の横断面図。
【図１７】縦框にパネルを取り付ける直前の状態を示す横断面図。
【図１８】縦框にパネルを取り付けた状態を示す横断面図。
【図１９】パネルを引手及び縦框に取り付けた状態を示す斜視図。
【図２０】図１９のＢ部の拡大図。
【図２１】図１９のＣ部の拡大図。
【図２２】パネルに、縦框に装着された引手、上框、下框及び縦框が取り付けられた組立体を示す斜視図。
【図２３】図２２に示した組立体に、上端キャップ、上端キャップ、下端キャップ及び下端キャップを取り付ける直前の状態を示す斜視図。
【図２４】図２３のＤ部の拡大図。
【図２５】本発明の一実施形態に係る扉の完成状態を示す全体斜視図。
【発明を実施するための形態】
【０００９】
以下、本発明の一実施形態に係るパネルの取付構造について、図面を参照しながら説明する。本実施形態においては、本発明に係るパネルの取付構造を配膳車の扉に適用した例で説明するが、適用対象には特に限定はなく、例えば冷蔵庫や冷蔵ショーケースであってもよく、建物の窓であってもよい。
【００１０】
図１は、本発明の一実施形態に係る扉１の連結構造を備えた配膳車１０の外観斜視図である。図２は図１に示した配膳車１０において、一部の扉１を開いた状態を示す外観斜視図である。図１において、配膳車１０は筐体１１にヒンジ機構により開閉可能な扉１を取り付けて外観を構成している。扉１は、詳細は後に説明する本発明の一実施形態に係るパネルの取付構造を備えたものである。
【００１１】
図２のように扉１を開くことにより、筐体１１内に配置された棚１２にトレイを載せたり、棚１２からトレイを取り出すことができる。詳細な図示は省略しているが、図２おいて扉１にはパッキン１３が取り付けられており、図１のように扉を閉じた状態のシール性を高めるようにしている。
【００１２】
図３は図１に示した扉１の１枚分の外観斜視図であり、図４は図３に示した扉１を裏面から見た状態を示す外観斜視図である。図３は扉１の表面側であり、引手２の窪みに手を差し入れて、扉１の開閉ができるようになっている。扉１は、それぞれフレーム状の上框３、下框４、引手２、縦框５及び縦框６により、枠体を構成しており、この枠体にパネル１５が取り付けられている。パネル１５は、例えば透明ばガラス板や樹脂板であるがこれに限るものではない。以下、説明の便宜のため、縦框５及び縦框６の長手方向を縦方向（図３の矢印ａ方向）、上框３及び下框４の長手方向を横方向（図３の矢印ｂ方向）という。
【００１３】
図５及び図６は扉１の分解状態を示す斜視図であり、図５は表面側から見た状態を示しており、図６は裏面側から見た状態を示している。図５を参照しながら主に構成部品を説明し、組み立ての詳細は後に説明する。図５において、上框３、下框４、引手２、縦框５及び縦框６は、前記のとおり枠体の構成部材であり、ねじ１４により固定される。溝カバー７は縦框５の溝部を覆うカバーであり、溝カバー８は縦框６の溝部を覆うカバーである。
【００１４】
引手２の上下端は、それぞれ上端ブロック１８、下端ブロック１９が取り付けられ。縦框５の上下端は、それぞれねじ２４により、上端キャップ２０、下端キャップ２１が取り付けられ、縦框６の上下端は、それぞれねじ２４により、上端キャップ２２、下端キャップ２３が取り付けられる。ガスケット２５、２６、２７、２８は、それぞれ引手２、上框３、縦框６、下框４に取り付けられ、この状態でさらに一対のパネル１５が取り付けられる。
【００１５】
図６は図５を裏面側から見た状態を示しており、構成部品は図５を参照して説明したとおりである。図７は、図５のＡ部に相当する部分の拡大図である。説明の便宜のため、図５とは図示の角度を変えており、一部の部品の図示は省略している。引手（フレーム）２は、底板３０と対向する一対の側板３１とで凹部空間３２を形成しており、底板３０に、凹部空間３２の開放端に向けて突出した突起３３が立設している。ガスケット２５は、突起３３と嵌合する溝３４が形成されている。突起３３に、ガスケット２５を係合させることにより、引手２にガスケット２５が装着される。縦框５は、底板４０と対向する一対の側板４１とで凹部空間４２を形成しており、凹部空間４２に引手２の一部が装入される。
【００１６】
図８は、図７の状態から組み立てが進んだ状態を示す外観斜視図である。本図の状態では、引手２にガスケット２５が装着され、縦框５に引手２の一部が装入されている。この状態で、引手２に２枚のパネル１５が取り付けられる。
【００１７】
図９は図８の組立体の横断面図である。縦框５の凹部空間４２に引手２の一部が装入されている。他方、引手２と一体の突起３３に、ガスケット２５の溝３４が嵌合している。ガスケット２５と側板３１との間には隙間３５が形成されており、この隙間３５にパネル１５（図８参照）が取り付けられる。隙間３５はガスケット２５の両側に形成されており、隙間３５にそれぞれ１枚のパネル１５が取り付けられる。
【００１８】
図１０は、引手２に１枚分のパネル１５を取り付けた状態を示す外観斜視図である。図１１は図１０の組立体の要部の横断面図である。図１１において、ガスケット２５と側板３１との間の２つの隙間３５のうち、一方の隙間３５にパネル１５が取り付けられている。より具体的には、取り付けられたパネル１５は、一方の面の側においてガスケット２５と当接し、他方の面の側において、パネル１５と側板３１の面同士が当接した状態になっている。
【００１９】
この状態では、パネル１５と側板３１との間に空間が形成されないので、凹部空間３２内において、パネル１５の先端は側板３１側に変位する余地がない（矢印ａ参照）。また、パネル１５のガスケット２５側はガスケット２５により位置規制されているので、パネル１５の先端がガスケット２５側に変位しにくくなっている（矢印ｂ参照）。このため、本実施形態に係るパネルの取付構造によれば、パネル１５は傾斜（矢印ｃ参照）の生じにくい安定した固定が可能になる。
【００２０】
引手２に１枚分のパネル１５を取り付けた図１０の状態から、さらに引手２に２枚目のパネル１５を取り付ける。図１２は、引手２に２枚分のパネル１５の取り付けが完了した状態を示している。図１２の状態は引手２の上端ブロック１８を取り付ける直前の状態であり、図１３は、引手２の上端部に上端ブロック１８を取り付けた状態の外観斜視図を示している。
【００２１】
図１４は、図１３の組立体の要部の横断面図である。本図の状態では、ガスケット２５の両側の２つの隙間３５の両方に、パネル１５が取り付けられている。図１５は、引手２に２枚分のパネル１５を取り付けた後における取り付け部品を示す分解斜視図である。本図の状態では、２枚分のパネル１５の１辺に引手２が取り付けられており、以後残りの３辺にそれぞれ、上框３、下框４及び縦框６が取り付けられる。
【００２２】
引手２は図７において、底板３０と対向する一対の側板３１とで凹部空間３２を形成しており、底板３０に、凹部空間３２の開放端に向けて突出した突起３３が立設している。上框３、下框４及び縦框６はいずれも、主要部がこれと同じ構造を有しており、図１５において、上框３、下框４及び縦框６には、それぞれガスケット２５と同じ断面形状のガスケット２６、ガスケット２８及びガスケット２７が装着される。この装着状態は、引手２に装着されたガスケット２５と同様である（図８、９のガスケット２５参照）。
【００２３】
図１５において、上框３、下框４及び縦框６のパネル１５への取り付け順は、任意である。以下、縦框６のパネル１５への取り付けについて説明する。図１６は、図１５に示した縦框６の横断面図である。本図は、縦框６にガスケット２７を装着した状態における断面図である。前記のとおり、縦框６は主要部が引手２と同じ構造を有しており、図１６において、縦框６は、底板５０と対向する一対の側板５１とで凹部空間５２を形成しており、底板５０に、凹部空間５２の開放端に向けて突出した突起５３が立設している。凹部空間５２の開放端側にはフランジ５６を設けて、上框３及び下框４との接合部において隙間５５が均一になるようにしている。
【００２４】
ガスケット２７の断面形状は、ガスケット２５と同じであり、突起５３と嵌合する溝５４が形成されている。図１６では、突起５３にガスケット２７の溝５４を係合させて、縦框６にガスケット２７が装着されている。ガスケット２７と側板５１との間には隙間５５が形成されており、この隙間５５にパネル１５（図１７参照）が取り付けられる。隙間５５はガスケット２７の両側に形成されており、隙間５５にそれぞれ１枚のパネル１５が取り付けられる。
【００２５】
図１７は、縦框６にパネル１５を取り付ける直前の状態を示す横断面図である。本図の状態から、ガスケット２７の両側の隙間５５にパネル１５を取り付ける。
パネル１５を取り付け方法は、図１７において、パネル１５及び縦框６の少なくとも一方を横方向（矢印ｂ方向）に動かしてもよく、図８のように、引手２にパネル１５を取り付けるときと同様に、パネル１５を縦方向（図８の矢印ａ方向）に動かしてもよい。いずれの方法であっても、前記のとおり、パネル１５は傾斜の生じにくい安定した状態で固定されているので、取り付け作業は容易になる。
【００２６】
図１８は、縦框６にパネル１５を取り付けた状態を示す横断面図である。本図の状態では、ガスケット２５の両側の２つの隙間５５（図１７参照）の両方に、パネル１５が取り付けられている。縦框６には、フランジ５６を設けているため、図１４のように、パネル１５と側板３１の面同士が当接した状態にはならないが、パネル１５はすでに傾斜の生じにくい安定した状態で引手２に固定されているので、取り付け作業性が特別に損なわれることはない。
【００２７】
図１９は、パネル１５を引手２及び縦框６に取り付けた状態を示す斜視図である。図１９には、溝カバー７、溝カバー８等の付属部品も図示している。本図の状態から、さらに作業を進め、パネル１５の上辺に上框３を取り付け、パネル１５の下辺に下框４を取り付ける。これらの取り付け作業は縦框６の場合と同様である。
【００２８】
図２０は、図１９のＢ部の拡大図である。上框３にガスケット２６を装着後、パネル１５の上辺に上框３を取り付ける。この際、横方向において、上框３の縦框６側の端部は、縦框６の内部空間５９内に収容され、上框３と縦框６とが組み合わさる。この状態で、ねじ１４を縦框６に形成した孔５８に挿通させ、上框３に形成したねじ締付溝４４に締め付ける。このことにより、上框３の縦框６側の端部が縦框６に固定される。
【００２９】
この後、縦框６の側部の凸部４５の上端に、溝カバー８に形成された溝部４６を係合させ、溝カバー８を凸部４５に沿って下側に移動させて、溝カバー８を、縦框６に取り付ける。
【００３０】
図２１は、図１９のＣ部の拡大図である。前記の図１９の工程と重複するが、上框３にガスケット２６を装着後、パネル１５の上辺に上框３を取り付ける。この際、上框３の縦框５側の端部は、縦框５の内部空間６０内に収容され、上框３と縦框５とが組み合わさる。この状態で、ねじ１４を縦框５に形成した孔５９に挿通させ、上框３に形成したねじ締付溝（図示せず）に締め付ける。このことにより、上框３の縦框５側の端部が縦框５に固定される。図２１では図示されていないが、図２１の状態における上框３の端部にも、図２０のねじ締付溝４４と同様の構造が形成されている。
【００３１】
この後、縦框５の側部の凸部６１の上端に、溝カバー７に形成された溝部６２を係合させ、溝カバー７を凸部６１に沿って下側に移動させて、溝カバー７を、縦框５に取り付ける。
【００３２】
図２２は、パネル１５に、縦框５に装着された引手２、上框３、下框４及び縦框６が取り付けられた組立体を示す斜視図である。図２３は、図２２に示した組立体に、上端キャップ２０、上端キャップ２２、下端キャップ２１及び下端キャップ２３を取り付ける直前の状態を示す斜視図である。図２４は、図２３のＤ部の拡大図である。本図は、上端キャップ２０を取り付ける直前の状態を示す外観斜視図である。ねじ２４を上端キャップ２０に形成した孔６３に挿通させ、縦框５に形成したねじ締付溝６４に締め付ける。このことにより、上端キャップ２０が縦框５に固定される。これと同様に、図２３において、縦框５の下端は、ねじ２４により下端キャップ２１が取り付けられ、縦框６の上下端は、それぞれねじ２４により、上端キャップ２２、下端キャップ２３が取り付けられる。
【００３３】
図２５は、扉１の完成状態を示す全体斜視図である。本図の状態は、図２３の状態から作業が進んだ状態を示しており、扉１として完成している。図２５に示した扉１は、図３及び図４に示した扉１と同一構成である。
【００３４】
以上、本発明の一実施形態に係るパネルの取付構造について説明したが、本発明に係るパネルの取付構造によれば、詳細は前記のとおり、図１１において、パネル１５と側板３１が面同士で接し、パネル１５のガスケット２５側はガスケット２５により位置規制されるので、特別に構造を複雑化させることなく、パネル１５は傾斜の生じにくい安定した固定が可能になり、続くパネル１５の他端側への縦框６等（フレーム）の取り付け作業が容易になる。また、前記実施形態は一例であり、下記のように適宜変更してもよい。
【００３５】
前記実施形態においては、１枚の扉１についてパネル１５を２枚取り付ける例で説明したが、１枚であってもよい。パネル１５が１枚であっても、パネル１５は安定して固定されるので、続くフレームの取り付け作業が容易になる。このことはパネル１５が２枚の場合も同様であるが、より具体的には、２枚のパネル１５の両方が安定して固定されるので、２枚のパネル１５間の間隔が一定になり、２枚のパネル１５が傾いてパネル１５同士が当接することがないので、続くフレームの取り付け作業が容易になる。
【００３６】
前記実施形態においては、縦框５にパネル１５を取り付けるのではなく、縦框５に装着した引手２にパネル１５を取り付ける構成であったが、これは一例であり、フレームに取り付ける構成であればよく、縦框５にパネル１５を直接取り付ける構成であってもよい。
【００３７】
前記実施形態においては、図１１の構成では、パネル１５と側板３１が面同士で接しているが（図１１参照）、この構成をパネル１５の４辺全てに採用しなくてもよい。少なくともパネル１５の１辺に採用されていれば、まず当該１辺にパネル１５を取り付ければ、パネル１５は安定して固定されるので、以後の作業は容易になる。
【符号の説明】
【００３８】
１  扉
２  引手（フレーム）
３  上框（フレーム）
４  下框（フレーム）
５  縦框（フレーム）
６  縦框（フレーム）
１５  パネル
２５，２６，２７，２８  ガスケット
３０，５０  底板
３１，５１  側板
３２，５２  凹部空間
３３，５３  突起
３４  ガスケットの溝
【図１】
2019015080.tif 000003
【図２】
2019015080.tif 000004
【図３】
2019015080.tif 000005
【図４】
2019015080.tif 000006
【図５】
2019015080.tif 000007
【図６】
2019015080.tif 000008
【図７】
2019015080.tif 000009
【図８】
2019015080.tif 000010
【図９】
2019015080.tif 000011
【図１０】
2019015080.tif 000012
【図１１】
2019015080.tif 000013
【図１２】
2019015080.tif 000014
【図１３】
2019015080.tif 000015
【図１４】
2019015080.tif 000016
【図１５】
2019015080.tif 000017
【図１６】
2019015080.tif 000018
【図１７】
2019015080.tif 000019
【図１８】
2019015080.tif 000020
【図１９】
2019015080.tif 000021
【図２０】
2019015080.tif 000022
【図２１】
2019015080.tif 000023
【図２２】
2019015080.tif 000024
【図２３】
2019015080.tif 000025
【図２４】
2019015080.tif 000026
【図２５】
2019015080.tif 000027